(57)【特許請求の範囲】
【請求項１】
建築資材に貼り付けるシート部材を切断するカッターをガイドするカッターガイドにおいて、
カッターをガイドするための第１のガイド部材と、
前記第１のガイド部材に対してスライド可能な第２のガイド部材と、
前記第１のガイド部材と前記第２のガイド部材とを互いに固定する固定部と、
を有し、
前記第１のガイド部材は、
カッターをガイドするためのカッターガイド面と、
前記カッターガイド面と交差する２辺の少なくとも一方に切り欠き部と、
を有し、
前記第２のガイド部材は、
前記建築資材もしくは前記シート部材に接触させるためのスライドガイド面を有し、
前記カッターガイド面と前記スライドガイド面とがなす角の角度は、
前記第１のガイド部材に対する前記第２のガイド部材のスライドの前後において−１°以上１°以下の範囲内であり、
前記切り欠き部は、少なくとも側面を有し、
前記切り欠き部の前記側面と前記カッターガイド面とがなす角の角度は、
−１°以上１°以下の範囲内であること
を特徴とするカッターガイド。
【請求項２】
請求項１に記載のカッターガイドにおいて、
前記カッターガイド面と前記スライドガイド面とは、
同じ方向に向かって面していること
を特徴とするカッターガイド。
【請求項３】
請求項１または請求項２に記載のカッターガイドにおいて、
前記第１のガイド部材は、
前記第１のガイド部材の厚みを貫通する長穴を有し、
前記長穴は、少なくとも側面を有し、
前記長穴の前記側面と前記カッターガイド面とがなす角の角度は、
−１°以上１°以下の範囲内であること
を特徴とするカッターガイド。
【請求項４】
請求項１から請求項３までのいずれか１項に記載のカッターガイドにおいて、
前記第２のガイド部材は、
前記建築資材もしくは前記シート部材に接触した状態で前記建築資材に沿ってスライドさせるためのものであること
を特徴とするカッターガイド。
【発明の詳細な説明】
【技術分野】
【０００１】
本明細書の技術は、扉や壁等の建築資材にテープやクロス等のシート部材を貼り付けた後にシート部材をカットするのに好適なカッターガイドに関する。
【背景技術】
【０００２】
建築現場における施工において、作業者は、扉にテープを貼り付けたり、壁にクロスを貼り付けることがある。そのために、通常、カッター等の手持ち切断工具を用いる。そのため、テープ等を扉等に容易に押圧可能でカッターを好適にガイドすることのできる治具があれば好ましい。
【０００３】
例えば、特許文献１には、並列した２枚の板材１の間に隙間３ができるように向かい合う辺の両端部に蝶番２を設けた定規が開示されている（特許文献１の段落［０００５］０−［０００８］）。そして、２枚の板材１の間の隙間３（板材１の側面）をカッターの刃のガイドとして用いることにより、容易に素早く安全にカッティングを実施することができる旨が記載されている（特許文献１の段落［０００９］）。
【先行技術文献】
【特許文献】
【０００４】
【特許文献１】特開２０１１−２４９８０号公報
【発明の概要】
【発明が解決しようとする課題】
【０００５】
ところで、建築現場においては、作業者は多くの工具を持ち歩いている。そのため、作業者の作業性の向上のためには、このような工具は小型であることが好ましい。また、建築現場においては、作業者は、地面に対してほぼ垂直に設置された壁や扉等に対して作業を行う。そして、壁や扉等は十分に大きい。したがって、カッターガイドは、小型であるとともに建築資材に対してスライド可能であることが好ましい。
【０００６】
本明細書の技術は、前述した従来の技術が有する問題点を解決するためになされたものである。すなわちその課題とするところは、小型であるとともに建築資材に対してスライド可能であるカッターガイドを提供することである。
【課題を解決するための手段】
【０００７】
第１の態様におけるカッターガイドは、建築資材に貼り付けるシート部材を切断するカッターをガイドするためのものである。このカッターガイドは、カッターをガイドするための第１のガイド部材と、第１のガイド部材に対してスライド可能な第２のガイド部材と、第１のガイド部材と第２のガイド部材とを互いに固定する固定部と、を有する。第１のガイド部材は、カッターをガイドするためのカッターガイド面と、カッターガイド面と交差する２辺の少なくとも一方に切り欠き部と、を有する。第２のガイド部材は、建築資材もしくはシート部材に接触させるためのスライドガイド面を有する。カッターガイド面とスライドガイド面とがなす角の角度は、第１のガイド部材に対する第２のガイド部材のスライドの前後において−１°以上１°以下の範囲内である。切り欠き部は、少なくとも側面を有する。切り欠き部の側面とカッターガイド面とがなす角の角度は、−１°以上１°以下の範囲内である。
【０００８】
このカッターガイドを用いることにより、扉や壁といった建築資材にシート部材を貼り付ける際に、シート部材を好適にカットすることができる。そして、一方の手でカッターを動かすとともに、もう一方の手でカッターガイドを建築資材に対してスライドさせることにより、例えば１ｍ以上の長いカッティングを好適に行うことができる。
【０００９】
第２の態様におけるカッターガイドにおいては、カッターガイド面とスライドガイド面とは、同じ方向に向かって面している。
【００１０】
第３の態様におけるカッターガイドにおいては、第１のガイド部材は、第１のガイド部材の厚みを貫通する長穴を有する。長穴は、少なくとも側面を有する。長穴の側面とカッターガイド面とがなす角の角度は、−１°以上１°以下の範囲内である。
【００１１】
【００１２】
第４の態様におけるカッターガイドにおいては、第２のガイド部材は、建築資材もしくはシート部材に接触した状態で建築資材に沿ってスライドさせるためのものである。
【発明の効果】
【００１３】
本明細書の技術では、小型であるとともに建築資材に対してスライド可能であるカッターガイドが提供されている。
【図面の簡単な説明】
【００１４】
【図１】第１の実施形態におけるカッターガイドの概略構成を示す図である。
【図２】第１の実施形態におけるカッターガイドの第１のガイド部材の概略構成を示す図である。
【図３】第１の実施形態におけるカッターガイドの第２のガイド部材の概略構成を示す図である。
【図４】図３の矢印Ｋ１の向きから視た図である。
【図５】第１の実施形態におけるカッターガイドの使用方法の一例を説明するための図である。
【図６】第１の実施形態の変形例における第２のガイド部材の概略構成を示す図である。
【図７】図６の矢印Ｋ２の向きから視た図である。
【図８】第１の実施形態の変形例における第１のガイド部材の概略構成を示す図（その１）である。
【図９】第１の実施形態の変形例における第１のガイド部材の概略構成を示す図（その２）である。
【図１０】第１の実施形態の変形例における第１のガイド部材の概略構成を示す図（その３）である。
【図１１】第２の実施形態におけるカッターガイドの第１のガイド部材の概略構成を示す図である。
【図１２】第２の実施形態の変形例におけるカッターガイドの第１のガイド部材の概略構成を示す図（その１）である。
【図１３】第２の実施形態の変形例におけるカッターガイドの第１のガイド部材の概略構成を示す図（その２）である。
【発明を実施するための形態】
【００１５】
以下、本明細書の技術における実施形態について添付図面を参照しつつ説明する。以下の実施形態では、カッターガイドについて説明する。以下の実施形態において、カッターガイドは、建築資材に貼り付けるシート部材を切断するカッターをガイドするためのものである。本明細書において、建築資材とは、柱やドア等の建築物を構成する材料である。また、シート部材とは、柱やドア等に貼り付けるためのテープ部材や壁に貼り付けるためのクロス等を含むものとする。
【００１６】
（第１の実施形態）
１．カッターガイド
図１は、本実施形態のカッターガイド１００の概略構成を示す図である。カッターガイド１００は、第１のガイド部材１１０と、第２のガイド部材１２０と、固定部１３０と、を有する。第１のガイド部材１１０および第２のガイド部材１２０は、固定部１３０により固定されている。つまり、固定部１３０は、第１のガイド部材１１０と第２のガイド部材１２０とを互いに固定するためのものである。固定部１３０は、例えば、ねじおよびナットである。そのため、ねじを緩めた場合には、第１のガイド部材１１０と第２のガイド部材１２０とは、互いにスライドできるようになっている。もちろん、ねじを締めた場合には、第１のガイド部材１１０と第２のガイド部材１２０とは互いに固定されている。
【００１７】
図２は、第１のガイド部材１１０の概略構成を示す図である。第１のガイド部材１１０は、切断時においてカッターをガイドするためのものである。図２に示すように、第１のガイド部材１１０は、Ｌ字型の形状である。第１のガイド部材１１０は、カッターガイド面１１１と、本体部１１２と、目盛部１１２ａと、を有する。カッターガイド面１１１は、実際にカッターをガイドするための面である。そのため、カッターガイド面１１１は、平面である。本体部１１２は、目盛部１１２ａを有する。目盛部１１２ａは、カッターガイド面１１１とスライドガイド面１２１（後述）との間の距離を示すためのものである。第１のガイド部材１１０の材質は、例えば、ＳＵＳ等の鋼材、その他の金属または合金、硬質性の樹脂等である。
【００１８】
図３は、第２のガイド部材１２０の概略構成を示す図である。第２のガイド部材１２０は、建築資材もしくはシート部材の面の一部に接触した状態で建築資材もしくはシート部材の平面に沿ってカッターガイド１００をスライドさせるためのものである。第２のガイド部材１２０は、第１のガイド部材１１０に対してスライド可能である。ただし、カッターガイド１００の使用時には、第１のガイド部材１１０と第２のガイド部材１２０とは、固定部１３０により固定されている。第２のガイド部材１２０は、スライドガイド面１２１と、ガイドレール１２２と、を有する。スライドガイド面１２１は、扉や柱等の建築資材もしくはシート部材に接触させるためのものであるとともに建築資材等に沿ってカッターガイド１００をスライドさせるための面である。ガイドレール１２２は、第２のガイド部材１２０に対して第１のガイド部材１１０をスライドさせるための溝である。第２のガイド部材１２０の材質は、例えば、ＳＵＳ等の鋼材、その他の金属または合金、硬質性の樹脂等である。
【００１９】
図４は、図３を矢印Ｋ１の向きから視た図である。図４に示すように、第２のガイド部材１２０の一方の面に、第１のガイド部材１１０をスライドさせるためのガイドレール１２２が設けられている。
【００２０】
カッターガイド面１１１とスライドガイド面１２１とは、平行である。または、カッターガイド面１１１とスライドガイド面１２１とがなす角の角度は、−１°以上１°以下の範囲内である。もちろん、カッターガイド面１１１とスライドガイド面１２１とがなす角の角度は、第１のガイド部材１１０に対する第２のガイド部材１２０のスライドの前後において−１°以上１°以下の範囲内である。このため、作業者は、扉や柱等のある端面に沿ってテープ部材等を好適にカットすることができる。
【００２１】
また、カッターガイド面１１１とスライドガイド面１２１とは、同じ方向に面している。詳細については後述する。
【００２２】
また、目盛部１１２ａは、カッターガイド面１１１とスライドガイド面１２１との間の距離を示す。そのため、作業者は、カッターガイド面１１１とスライドガイド面１２１との間の距離を調整した上でテープ部材等を好適にカットすることができる。
【００２３】
２．カッターガイドの使用方法
図５は、カッターガイド１００の使用方法の一例を説明するための図である。図５においては、ドアＤ１の端面Ｔ１にシート部材Ｓ１を貼り付けるとともに、切取り予定線Ｌ１で直線的にカットする様子が描かれている。ここで、シート部材Ｓ１は、カッターＣ１により切断される被切断材である。ドアＤ１は、ドアノブＤＫ１と、第１面Ｄ１ａと、端面Ｔ１と、を有している。端面Ｔ１は、第１面Ｄ１ａに対して垂直である。図５において、シート部材Ｓ１は、端面Ｔ１に貼り付けられようとしている。シート部材Ｓ１は、第１面Ｄ１ａおよび端面Ｔ１の双方に貼り付けてもよい。
【００２４】
作業者は、ドアＤ１の第１面Ｄ１ａにカッターガイド１００のスライドガイド面１２１を押し当てる。この際には、カッターガイド１００のカッターガイド面１１１とスライドガイド面１２１との間の距離は、作業者により調整済みである。カッターガイド面１１１とスライドガイド面１２１との間の距離は、ドアＤ１の第１面Ｄ１ａと切取り予定線Ｌ１との間の距離Ｗ１に等しい。
【００２５】
次に、作業者は、カッターＣ１をカッターガイド１００のカッターガイド面１１１に沿って配置する。そして、作業者は、スライドガイド面１２１をドアＤ１の第１面Ｄ１ａに押し当てた状態でドアＤ１の第１面Ｄ１ａに沿ってカッターガイド１００を矢印Ｊ１の向きにスライドさせる。そして、作業者は、カッターガイド１００を矢印Ｊ１の向きにスライドさせながら、カッターＣ１を矢印Ｊ２の向きに動かすことによりシート部材Ｓ１をカットする。これにより、作業者は、長い切取り予定線Ｌ１に沿ってシート部材Ｓ１を切断することができる。
【００２６】
３．本実施形態のカッターガイドの効果
本実施形態のカッターガイド１００を用いる場合には、カッターガイド１００によりカッターＣ１をガイドしつつカッターＣ１により被切断材をカットできる。そしてその際に、カッターガイド１００を建築資材等に押し当てつつスライドさせることができる。そのため、切取り予定線が長かったとしても、カッターガイド１００をスライドさせることにより、作業者は、好適に被切断材を切断できる。また、作業者が、カッターガイド１００をスライドさせるため、カッターガイド面１１１は、切取り予定線Ｌ１に比べて短くてもよい。つまり、カッターガイド１００は、小型である。
【００２７】
また、図１に示すように、カッターガイド面１１１は、矢印Ｉ１の方向に向かって面している。スライドガイド面１２１は、矢印Ｉ２の方向に向かって面している。ここで、矢印Ｉ１と矢印Ｉ２とは、同じ方向である。したがって、カッターガイド面１１１とスライドガイド面１２１とは、同じ方向に向かって面している。
【００２８】
図５に示すように、作業時には、作業者は、スライドガイド面１２１によりドアＤ１の第１面Ｄ１ａを矢印Ｆ１ａの向きに押し当てている。一方、作業者は、カッターＣ１の刃を、カッターガイド面１１１に向かって矢印Ｆ１ｂの向きに押し当てている。このように、カッターガイド１００に加わる力の向き（矢印Ｆ１ａ）とカッターＣ１に加わる力の向き（矢印Ｆ１ｂ）とが対向している。そのため、作業者がカッターＣ１によりシート部材Ｓ１を切断する際に、カッターＣ１が切取り予定線Ｌ１からずれてしまうおそれがほとんどない。
【００２９】
４．変形例
４−１．第２のガイド部材
図６は、本実施形態の変形例における第２のガイド部材２２０の概略構成を示す図である。図７は、図６の矢印Ｋ２の向きから視た図である。図６および図７に示すように、第２のガイド部材２２０は、スライドガイド面２２１と、孔２２２と、を有している。孔２２２は、第２のガイド部材２２０に対して第１のガイド部材１１０をスライドさせるための溝である。
【００３０】
４−２．第１のガイド部材
図８は、本実施形態の変形例における第１のガイド部材３１０の概略構成を示す図である。図８に示すように、第１のガイド部材３１０は、補強部材３１３を有している。補強部材３１３は、カッターガイド面１１１のある部分と、目盛部１１２ａのある本体部１１２と、を連結している。
【００３１】
図９は、本実施形態の変形例における第１のガイド部材４１０の概略構成を示す図である。図９に示すように、第１のガイド部材４１０は、Ｔ字型をしている。カッターガイド面１１１の中央付近から、カッターガイド面１１１に垂直に本体部４１２が設けられている。この場合であっても、カッターＣ１を好適にガイドすることができることに変わりない。
【００３２】
図１０は、本実施形態の変形例における第１のガイド部材５１０の概略構成を示す図である。図１０に示すように、第１のガイド部材５１０は、Ｔ字型をしている。ただし、Ｔ字の左右の長さは非対称である。カッターガイド面１１１のやや右寄りの位置から、カッターガイド面１１１に垂直に本体部５１２が設けられている。この場合であっても、カッターＣ１を好適にガイドすることができることに変わりない。
【００３３】
５．本実施形態のまとめ
以上詳細に説明したように、本実施形態のカッターガイド１００は、カッターガイド面１１１を有する第１のガイド部材１１０と、スライドガイド面１２１を有する第２のガイド部材１２０と、を有する。スライドガイド面１２１は、ドア等の建築資材の端面に押し当てることができるようになっている。そのため、建築資材の端面に沿ってカッターガイド１００をスライドさせながら、被切断材をカッターＣ１で切断することができる。
【００３４】
なお、本実施例は単なる例示にすぎない。したがって当然に、その要旨を逸脱しない範囲内で種々の改良、変形が可能である。例えば、カッターガイド１００を壁紙をカットする際に用いてもよい。または、その他のシート状の部材を被切断材として用いることができる。
【００３５】
（第２の実施形態）
第２の実施形態について説明する。第２のガイド部材については、第１の実施形態で説明したものを用いればよい。本実施形態では、第１の実施形態と異なる第１のガイド部材について説明する。
【００３６】
１．第１のガイド部材
図１１は、本実施形態の第１のガイド部材６１０の概略構成を示す図である。図１１に示すように、第１のガイド部材６１０は、カッターガイド面１１１と、長穴６１１と、本体部６１２と、を有する。長穴６１１は、第１のガイド部材６１０の厚みを貫通している。長穴６１１は、少なくとも第１の側面６１１ａを有する。第１の側面６１１ａは、カッターガイド面１１１と平行な平面である。または、第１の側面６１１ａとカッターガイド面１１１とがなす角の角度は、−１°以上１°以下の範囲内である。そして、第１の側面６１１ａとスライドガイド面１２１とがなす角の角度は、第１のガイド部材６１０に対する第２のガイド部材１２０のスライドの前後において−１°以上１°以下の範囲内である。
【００３７】
したがって、作業者は、長穴６１１の第１の側面６１１ａに沿ってシート部材Ｓ１を切断してもよい。
【００３８】
２．変形例
２−１．切り欠き
図１２は、本実施形態の変形例における第１のガイド部材７１０の概略構成を示す図である。図１２に示すように、第１のガイド部材７１０は、カッターガイド面１１１と、切り欠き部７１１と、本体部７１２と、を有する。切り欠き部７１１は、カッターガイド面１１１と交差する第１のガイド部材７１０の２辺の少なくとも一方に設けられている。そのため、切り欠き部７１１は、１個であっても２個であってもよい。切り欠き部７１１は、少なくとも第２の側面７１１ａを有する。第２の側面７１１ａは、カッターガイド面１１１と平行な平面ある。または、第２の側面７１１ａとカッターガイド面１１１とがなす角の角度は、−１°以上１°以下の範囲内である。そして、第２の側面７１１ａとスライドガイド面１２１とがなす角の角度は、第１のガイド部材７１０に対する第２のガイド部材１２０のスライドの前後において−１°以上１°以下の範囲内である。
【００３９】
このように、第１のガイド部材７１０は、切り欠き部７１１を有する。そのため、このカッターガイドは、例えば、柱や扉の上端部分または下端部分において、シート状の被切断材を切断する際に好適である。
【００４０】
２−２．長穴と切り欠きとの組み合わせ
図１３は、本実施形態の変形例における第１のガイド部材８１０の概略構成を示す図である。図１３に示すように、第１のガイド部材８１０は、カッターガイド面１１１と、長穴６１１と、切り欠き部７１１と、本体部８１２と、を有する。
【００４１】
２−３．第１の実施形態との組み合わせ
第２の実施形態および変形例と、第１の実施形態および変形例とを、自由に組み合わせてもよい。
【符号の説明】
【００４２】
１００…カッターガイド
１１０…第１のガイド部材
１１１…カッターガイド面
１２０…第２のガイド部材
１２１…スライドガイド面
１３０…固定部
【図１】
0006777303.tif 000002
【図２】
0006777303.tif 000003
【図３】
0006777303.tif 000004
【図４】
0006777303.tif 000005
【図５】
0006777303.tif 000006
【図６】
0006777303.tif 000007
【図７】
0006777303.tif 000008
【図８】
0006777303.tif 000009
【図９】
0006777303.tif 000010
【図１０】
0006777303.tif 000011
【図１１】
0006777303.tif 000012
【図１２】
0006777303.tif 000013
【図１３】
0006777303.tif 000014